(57)【要約】  エアロゾル発生装置（１）は、一端にマウスピースを有する通常円筒状の胴体とこの胴体に取り外し可能に収容されるキャニスター（６）を有し、このキャニスターは、加圧された流体、内部連続キャニスターバルブ（８）および胴体に流体を放出する押し込み可能な放出管（１２）を含む。電気作動バルブ（１４）がキャニスターからマウスピースへの流体の放出を制御し、ノズルがキャニスターから放出される流体のエアロゾルを形成する。圧力スイッチ（１７）がマウスピースでの減圧に応じて内部バッテリー（１５）からの電力をバルブに切り替えて、これに供給し、バルブを介して流体を放出し、マウスピース内で消費者のためにエアロゾルを形成する。
2013526382.tif 000002
【特許請求の範囲】
【請求項１】
マウスピースを有し、マウスピースへと放出される加圧された流体のエアロゾルとして供給されたものを受けるように構成された胴体と、マウスピースへの流体の放出量を制御するために設けられている電気的に作動可能なバルブと、電力をバルブの方に切り替えて、マウスピースでの減圧に応じてバルブを通して流体を放出させるように構成された圧力スイッチとを含むエアロゾル発生装置。
【請求項２】
バルブから放出される流体からエアロゾルを形成するノズルを含むことを特徴とする請求項１記載のエアロゾル発生装置。
【請求項３】
前記胴体が長尺であり、手の指の間で保持されるように構成されていることを特徴とする請求項１記載のエアロゾル発生装置。
【請求項４】
前記胴体が、加圧された流体が供給されるコンパートメントを含むことを特徴とする請求項１記載のエアロゾル発生装置。
【請求項５】
前記コンパートメントが、加圧された流体を含み、内部キャニスターバルブおよび流体を胴体内に解放する押し込み可能な放出管を有するキャニスターを収容するように構成されたキャニスターコンパートメントを含み、このキャニスターコンパートメントが胴体にはめ込まれるとき、キャニスターバルブを開いた状態に維持するように構成されていることを特徴とする請求項４記載のエアロゾル発生装置。
【請求項６】
請求項５記載のエアロゾル発生装置であって、キャニスターを含むエアロゾル発生装置。
【請求項７】
前記胴体がバルブに電力を供給するバッテリーを収容するバッテリーコンパートメントを含むことを特徴とする請求項１記載のエアロゾル発生装置。
【請求項８】
通常円筒状主要胴体ハウジングおよびこの主要胴体ハウジングに解除自在に同軸に取り付けられた遠位端ハウジングを含むことを特徴とする請求項１記載のエアロゾル発生装置。
【請求項９】
遠位端ハウジングにバッテリーコンパートメントおよび圧力スイッチを含むことを特徴とする請求項８記載のエアロゾル発生装置。
【請求項１０】
前記圧力スイッチがマウスピースでの減圧に応じて移動可能なダイヤフラムおよび減圧に応じてダイヤフラムによって移動する導電スイッチ接点を含むことを特徴とする請求項１記載のエアロゾル発生装置。
【請求項１１】
圧力スイッチの作動に反応してバルブに電力を供給する電気回路を含むことを特徴とする請求項１記載のエアロゾル発生装置。
【請求項１２】
前記電気回路が圧力スイッチの作動の後、所定の時間バルブに電力を供給するように作動可能であることを特徴とする請求項１１記載のエアロゾル発生装置。
【請求項１３】
前記電気回路が圧力スイッチの作動の後、所定の時間バルブに電力を供給しないように作動可能であることを特徴とする請求項１１記載のエアロゾル発生装置。
【請求項１４】
電気的に作動可能なバルブがソレノイド作動バルブを含むことを特徴とする請求項１記載のエアロゾル発生装置。
【請求項１５】
前記バルブが内部に長手方向に延びた通路を有するボビンと、この通路内に配置されるバルブシートと、通路に流体を供給する入り口と、バルブシートと係合するために通路内を移動可能なバルブと、バルブを移動させてバルブを開閉するために通電される電気コイルとを含むことを特徴とする請求項１４記載のエアロゾル発生装置。
【請求項１６】
マウスピースおよびキャニスターコンパートメントを有する通常円筒状胴体と、
キャニスターコンパートメント内に収容され、加圧された流体、内部キャニスターバルブおよび流体を胴体内に放出する押し込み可能な放出管を有するキャニスターと、
キャニスターからマウスピースへの流体の放出を制御するための電気作動バルブと、
キャニスターから放出される流体のエアロゾルを形成するためのノズルと、
マウスピースでの減圧に応じてバルブを介して流体を放出するためにバルブに電力を切り替えるように構成された圧力スイッチとを含み、前記キャニスターコンパートメントは、内部キャニスターバルブを開いた状態に保持するように構成されているエアロゾル発生装置。
【請求項１７】
マウスピースから遠位にあるハウジングの端部にバッテリーコンパートメントを含み、圧力スイッチがキャニスターとバッテリーコンパートメントとの間に位置していることを特徴とする請求項１６記載のエアロゾル発生装置。
【発明の詳細な説明】
【技術分野】
【０００１】
本発明は、エアロゾル、例えばニコチンを含むエアロゾルなど、しかしこれに限定されるものではない、を消費者の口に供給するために使用される小型携帯用エアロゾル発生装置に関する。
【背景技術】
【０００２】
ニコチン分出エアロゾル装置が下記特許文献１に開示されており、これはタバコを燃焼させる必要のない喫煙品などの紙巻きタバコを模したものである。
【発明の概要】
【発明が解決しようとする課題】
【０００３】
本発明は、圧力スイッチおよびバルブによって電気的に作動するエアロゾル発生装置を提供する。本発明の実施態様では、エアロゾル発生装置は、マウスピースを有する胴体を含み、この胴体はマウスピースへと放出される加圧された流体のエアロゾルとして供給されたものを受けるように構成され、電気的に作動可能なバルブが、マウスピースへの流体の放出量を制御するために設けられている。圧力スイッチが、電力をバルブの方に切り替えて、マウスピースでの減圧に応じてバルブを通して流体を放出させる。
【０００４】
本発明がより完全に理解されるように、本発明の実施態様を添付図面を参照した例によって説明する。
【図面の簡単な説明】
【０００５】
【図１】エアロゾル発生装置の側面図である。
【図２】図１に示した発生装置の吸い口端を示す図である。
【図３】使用の際に消費者によって保持されるエアロゾル発生装置を示す図である。
【図４】部分的に分解された発生装置の主要構成部品を略式に示す図である。
【図５】一部分解して示した発生装置の長手方向断面図である。
【図６】完全に組み立てられた図５に対応する発生装置の長手方向断面図である。
【図７】近位の吸い口端の部品を詳しく示した発生装置の分解斜視図である。
【図８】近位および遠位端の中間に位置する部品を詳しく示した発生装置の分解斜視図である。
【図９】遠位端の部品を詳しく示した発生装置の分解斜視図である。
【図１０】エアロゾル発生装置の電気部品の略式回路図である。
【図１１ａ】閉じている際のエアロゾルを形成するソレノイド作動バルブを示す近位吸い口端の拡大部分断面図である。
【図１１ｂ】図１１ａに対応するが、エアロゾルを形成するために開いた状態にあるソレノイド作動バルブを示す図である。
【図１２】パフによって作動する圧力スイッチをより詳しく説明する拡大切り欠き図である。
【図１３】圧力スイッチへの圧力連通通路を示す近位および遠位端の間の領域の部品の拡大切り欠き図である。
【図１４ａ】非作動状態にある圧力スイッチを示す図である。
【図１４ｂ】作動状態にある圧力スイッチを示す図である。
【図１５】ソレノイド作動バルブの周囲を延びる圧力連通通路を示す吸い口端の別の切り欠き図である。
【図１６】ソレノイド作動バルブの周囲を延びる圧力連通通路を示し、かつ、吸い口端シェル内のソレノイド作動バルブの内部構造を例示する図である。
【図１７】バッテリーコンパートメントの斜視図である。
【０００６】
概説
エアロゾル発生装置１を図１および２に例示するが、これは図３に示すように通常円筒状であり、紙巻きタバコのなどの喫煙品を真似て消費者の手の指の間で保持される。発生装置１は、近位にある吸い口端２および遠位端３を有し、エアロゾルを吸い口端２に供給する。エアロゾルはニコチンを含んでもよい。
【０００７】
図４を参照すると発生装置の円筒状胴体は、後で詳しく説明するバッテリー、制御回路および圧力作動スイッチを収容する遠位端ハウジング４を含む。遠位端ハウジング４は、円筒状の主要ハウジング５と同軸でこれに取り外し可能に取り付けられる。エアロゾルを形成するための加圧された流体を含むキャニスター６が主要ハウジング５に嵌められ、遠位端ハウジング４によって所定の位置に保持される。
【０００８】
エアロゾル発生装置１の構造を図５から９を参照して詳しく説明する。図５および６に示すようにキャニスター６は、通常円筒状の胴体７と、スプリング１１によって通常は閉じるように付勢されたバルブシート１０にスライド式に取り付けられたバルブ軸９を含む一体型バルブ８とを含む。バルブ軸９は、軸方向に延びた放出管１２を有し、バルブ軸がキャニスターの内方に軸方向に押されると、放出管を介して容器内からの加圧された液体が放出され、液体はキャニスター６内から入り口管１３を介してバルブ８へと供給される。バルブ８は、所謂、連続バルブであり、バルブ軸９が内方に押されてバルブを開くと、キャニスターから流体をキャニスターが空になるまでまたはバルブ軸が解放されて、バルブを閉じるまで連続的に放出する。
【０００９】
図４、５および６から判るようにキャニスター６は、遠位端ハウジング４を取り外すことによって交換可能である。キャニスター６にはニコチン含有液およびＨＦＡなどの推進剤が充填されるが、その他の風味剤および推進剤を使用してもよい。
【００１０】
キャニスター６を図６に示すように取り付ける際に、ソレノイド作動バルブ１４に接するように押し進められる。キャニスターが取り付けられると、放出管１２がキャニスター内のスプリング１１の力に抗してキャニスター６の軸方向内方に押され、バルブ８を開き、これによりキャニスターからの液体の放出がソレノイド作動バルブ１４によって制御される。
【００１１】
図５および６に示すように遠位端ハウジング４がバッテリー１５を含み、これはプリント基板(ＰＣＢ)１６上の電気回路に電力を供給し、この電気回路はマウスピース２内の圧力の変化に反応する圧力スイッチ１７の作用に応じてソレノイド作動バルブ１４への電力供給を制御する。
【００１２】
図１０は、エアロゾル発生装置の電気回路を略式に示している。バッテリー１５がプリント基板１６上の制御電気回路に連結され、電力が圧力作動スイッチ１７の制御下で制御電気回路からソレノイド作動バルブ１４に供給される。制御電気回路１６は、集積回路デジタル処理装置を含んでもよく、またはアナログ回路を含んでもよい。電気回路１６は、圧力スイッチ１７の作動に応じて、所定の時間バッテリー１５からソレノイド作動バルブ１４に電力を供給し、キャニスター６から放出される液体から一服分のエアロゾルを発生させる。スイッチ１７がユーザーがマウスピー２で吸引することによって作動し、以下に詳しく説明するように減圧が円筒状ハウジング５に沿って通路を介してスイッチ１７へと伝わる。
【００１３】
制御電気回路１６は、消費者が一回目のパフを行うと、ソレノイド作動バルブ１４が所定の時間、さらなるパフを行えないように構成されてもよい。制御電気回路１６は、他の機能を行えるようにしてもよく、例えば図１０に例示する発光ダイオード１８または他の表示手段（他の図面には例示されていない）を作動させてバッテリーの放電を示すバッテリーセンサーを含んでもよい。
【００１４】
また当然のことながら図に示した装置は、３つのボタン電池バッテリー１５を使用しているが、充電可能なバッテリーなどの他のバッテリー形態も利用可能である。
【００１５】
ソレノイド作動バルブ 
ソレノイド作動バルブ１４の構造および作動を図７および１１を参照して詳しく説明する。バルブ１４はボビン形状のソレノイド胴体１９を含み、これはソレノイドコイル２０を受ける。ワイヤー２１ａ、２１ｂが円筒状ハウジング５の内部に沿って延び、電力をソレノイドコイル２０に供給する。  
【００１６】
ボビン１９は、中央貫通孔１９ａを有する長手方向通路を含み、貫通孔はバルブシート２４に接するようにスプリング２３によって付勢されたソレノイドプランジャー２２を含むバルブ部材を収容する。プランジャー２２は、貫通孔１９ａにスライド式に収容され、その際貫通孔は、以下に詳しく説明するようにバルブが開いたときにキャニスターから貫通孔１９ａを介してプランジャーの周囲を流体が通過できるような小さい隙間を有する。バルブシール２５がプランジャー２２に固定され、バルブ１４が閉じた際にバルブシート２４を密閉する。ボビン１９は段が設けられた貫通孔２６をその遠位端に含み、これはキャニスター６の放出管１２を収容する。ガスケットシール２７が放出管１２の端部と段が設けられた貫通孔２６との間に配され、その間を密閉している。さらにＯ−リング２８が放出管１２の周囲に配され、円形のバルブ入り口部材２９によって保持されている。段が設けられた貫通孔２６は、入り口貫通孔３０内に延び、これは通常ソレノイドプランジャー２２およびシール２５によって閉じられている。
【００１７】
またバルブ１４は、円形のプレート形状のノズル出口３１を含み、これは円形の出口ガスケット３２によってボビン１９の近位端を密閉する。ノズル出口３１は、エアロゾルをマウスピース２内に放出する軸方向に延びた出口オリフィス３３を含む。
【００１８】
ソレノイドバルブとノズルの集合体は、通常円筒状のハウジングシェル３４ａ、３４ｂ内に収容され、これらは組み立てられると、管状のユニットとして近位のマウスピース端２からハウジング５内にスライドすることができる。ハウジングシェル３４ａ、３４ｂは、その構造を支持するためのフィン３５を含む。
【００１９】
キャニスター６がハウジング５に取り付けられると、キャニスターは、ボビン１９およびガスケットシール２７に押しつけられ、キャニスターの放出管１２はスプリング１１の力に抗して内方に押され、その結果、流体による圧力がバルブシート２４に対してキャニスター６から加えられる。バルブ１４が図１１ａに例示するように作動していないときには、ソレノイドプランジャー２２がバルブシート２４に接するようにスプリング２３によって押し進められ、バルブを閉じ、シール２５、２７および２８によって確実に流体が漏れないようにしている。
【００２０】
ソレノイドバルブ１４が作動すると、コイル２０によって発生する磁界が、図１１ｂに例示するようにスプリング２３の力に抗してソレノイドプランジャー２２を近位端２の方に強制的に移動させてバルブを開き、ソレノイドプランジャー２２の遠位端およびシール２５とバルブシート２４との間にスペース３６ができる。その後キャニスター６からの流体は、放出管１２および入り口オリフィス３０を通過することができ、ソレノイドプランジャー２２の円筒状外面とボビン１９の中央貫通孔１９ａの間の隙間を介して、ノズル出口３１のオリフィス３３を通過する。その結果、波線３７で示すエアロゾルのスプレーがマウスピース２へと案内される。
【００２１】
感圧スイッチ 
図８、１２、１３および１４を参照すると、感圧スイッチ１７がキャニスター６とバッテリー１５の間に位置している。スイッチ１７は、一組の半円状のスイッチ接点３６ａ、３６ｂ（図１０にも示すように）を含み、これらは互いに離れて位置し、それぞれＰＣＢ１６の制御回路に電気的に接続されている。スイッチ接点３６ａ、３６ｂは、移動可能な導電性橋絡接点３７によって選択的に橋絡され、この接点は、近位および遠位にある環状のスイッチサポート４１、４２の間に挟まれた弾性のダイヤフラム４０の軸方向延長部３９に収容される位置決め突起３８を有する。図１３に示すように圧力スイッチ装置が環状のスペーサー部材４３と当接し、これは遠位ハウジング４の近位端を含み、組み立てられた際にキャニスター６に対する端部ストッパーとなる。
【００２２】
スペーサー部材４３は、放射状に延びるスロット４４が設けられた軸方向に延びた通路４３ａを含む。主要ハウジング５は、リブ４５を含み、これらはキャニスター６のためにその長さに沿った位置決めポイントとなり、これにより空気通路が放射状スロット４４からマウスピース２に延びるキャニスターの周囲に設けられる。
【００２３】
消費者がマウスピース２でパフすると、減圧が生じ、これにより空気が矢印Ａの方向に移動し、ダイヤフラム４０に亘って圧力差を発生させる。その結果、ダイヤフラムの突起３９が、マウスピース２の方へと軸方向に移動し、橋絡接点３７をスイッチ接点３６ａ、３６ｂによる電気接続内に引っ張り込む。接点３６ａ、３６ｂは、ＰＣＢ１６の制御電気回路に電気的に接続され、この回路は、接点の電気的橋絡を検知し、それに応じて接点２１ａ、２１ｂおよび追加のワイヤー（図示せず）を介してソレノイド作動バルブ１４に駆動電流を供給する。上述したように制御回路はソレノイド１４を所定の時間作動させて、特定の時間パフを持続させる。これとは別に電気回路１６は、消費者がマウスピース２内の圧力を減少させている間、ソレノイドを作動させて、消費者がマウスピース２で吸引している間、連続的にエアロゾルを発生させるようにしてもよい。
【００２４】
従って消費者が発生させる負圧によって、橋絡接点３７が接点３６ａ、３６ｂから距離４６の分離れている図１４ａに示す位置から、橋絡接点３７がスイッチ接点３６ａ、３６ｂに接する図１４ｂに示す位置へと移動する。
【００２５】
図１５および１６を参照すると、通路がキャニスター６と主要ハウジング５との間の環状のスペースに設けられており、マウスピース２内の負圧を感圧スイッチ１７と連通させる。このためにシェル３４ａ、３４ｂには切り欠き部分４７が設けられており、これは軸方向に延びる通路を設けて、消費者がマウスピース２を吸った際に空気がここを矢印Ａの方向に流れる。マウスピースとスイッチ１７の間の通路の容積は、マウスピースを吸うことによって生じる負圧が著しく低下しないように充分小さくする。
【００２６】
バッテリーコンパートメント 
図５、６、９および１７を参照すると、バッテリー１５は、取り外し可能な閉鎖部材４９を有する通常円筒状バッテリーホルダー４８内に重ねて収容されている。この例では閉鎖部材４９は、突起５０によって位置決めされ、この突起は差し込み取り付け部を設けるために対応するスロット５１内に受けられる。バッテリー１５は、スプリング５２によって位置決めされ、このスプリングは、軸方向に延びる舌部５３ａを有する遠位バッテリー接点５３に電気的接続を供し、これら舌部は、バッテリーホルダー４８の外部に固定されたバッテリー接点５４と係合する。接点５４は、バッテリーホルダー４８沿って軸方向に取り付けられたバッテリーワイヤー５５と電気的に接続し、ＰＣＢ１６の電気回路と電気的に接続する。近位バッテリー接点５６が設けられ、図１３に詳しく示すように電気的に重ねられたバッテリー１５の近位端に接続される。近位のバッテリー接点５６は、ＰＣＢ１６に直接取り付けられる。またＰＣＢ１６に直接取り付けられた接点５７もバッテリーワイヤー５５の近位端とＰＣＢ１６の間に電気的接続を供する。
【００２７】
図１２に例示するように組み立てられたバッテリーコンパートメントは、遠位端ハウジング４内に圧力スイッチ１７と共に押し込み式に嵌め込まれ、ハウジング４の内部の環状の段４２ａと当接する。
【００２８】
図１７は、ハウジング４の遠位端が取り除かれたエアロゾル発生装置の遠位端を示す。ソレノイド作動バルブ１４から延びた導電体２１ａ、２１ｂが主要ハウジング５の遠位端内に取り付けられた遠位端接点５８ａ、５８ｂで終結している。接点５８ａ、５８ｂは、遠位ハウジング４の近位端にその端部ピース４２内で取り付けられた接点５９ａ、５９ｂと電気的に接触し、遠位端ハウジング４が主要ハウジング５に所定の位置でねじ止めされた際に、接点５８ａ、５８ｂがそれぞれ接点５９ａ、５９ｂと対になる。接点５９は、それぞれワイヤー（図示せず）接続によってＰＣＢ１６に電気的に接続されるが、当然のことながら金属接点を必要に応じて別個のワイヤーに代わりにハウジング４の内部に形成してもよい。
【００２９】
操作
使用の際、マウスピース内の周囲圧力を減少させるために消費者はマウスピース２で吸引し、圧力スイッチ１７の近傍から矢印Ａの方向に空気を引き込み、圧力スイッチを図１４ａに示す位置から図１４ｂに示す位置に移動させる。その結果、図１０に示すＰＣＢ１６の制御電気回路が、ソレノイド作動バルブ１４に電圧を加え、一服分のエアロゾルがマウスピースを介して消費者へと解放される。
【００３０】
多くの変型例および変更例が当業者に明らかになるはずである。例えば、キャニスター６に位置合わせ機構を設けて、入り口管１３が通常の使用において下方に向くように配置されて、確実にキャニスター６の内容物すべてが消費されるようにしてもよい。例えば、加圧されたキャニスターの供給管は、可撓性構造のものであってもよく、錘が付けられた端部を設けてキャニスターの向きが常に最も下の位置になって、キャニスターの内容物を完全に消費するようにしてもよい。
【００３１】
さらにＰＣＢ１６の電気回路は、圧力スイッチ１７が作動しているときを示すためのＬＥＤを含んでもよい。特許請求の範囲内で多くのその他の変型例および変更例が当業者に自明になるはずである。
【００３２】
また上述の例では発生装置は通常の円形断面を有する円筒状であるが、矩形または三角形などの他の断面形状を有するものも使用可能である。
【００３３】
さらに液体を補充できるように交換可能なエレメントとしてキャニスターを説明したが、一体型の加圧された供給容器を装置に設けて、装置を何度も使用できるようにし、容器中の液体を使い切ったら廃棄するようにしてもよい。１つの変型例では入り口バルブを設けて、外部から加圧源を補充できるようにしてもよい。
【００３４】
吸い口端を図に示したものとは異なるように構成することも可能である。例えば吸い口端を平坦な片を有するテーパーした円筒形状にして、口の中で向きを合わせて配置しやすくしてもよい。またテクスチャード加工または荒仕上げをマウスピースの外面に施して唇になんらかの感覚を与えるようにしてもよい。
【００３５】
また当然のことながら装置は、 図面を参照して説明したのとは別の電力源を含んでもよく、例えば充電可能なバッテリーまたは小型の燃料セルを使用してもよい。
【先行技術文献】
【特許文献】
【００３６】
【特許文献１】米国特許第４，９４５，９２９号明細書
【図１】
2013526382.tif 000003
【図２】
2013526382.tif 000004
【図３】
2013526382.tif 000005
【図４】
2013526382.tif 000006
【図５】
2013526382.tif 000007
【図６】
2013526382.tif 000008
【図７】
2013526382.tif 000009
【図８】
2013526382.tif 000010
【図９】
2013526382.tif 000011
【図１０】
2013526382.tif 000012
【図１１ａ】
2013526382.tif 000013
【図１１ｂ】
2013526382.tif 000014
【図１２】
2013526382.tif 000015
【図１３】
2013526382.tif 000016
【図１４ａ】
2013526382.tif 000017
【図１４ｂ】
2013526382.tif 000018
【図１５】
2013526382.tif 000019
【図１６】
2013526382.tif 000020
【図１７】
2013526382.tif 000021
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
近位および遠位端（２、３）を有し、マウスピースを近位端に有し、マウスピースへと放出される加圧された流体のエアロゾルとして供給されたものを受けるように構成された通常円筒状の胴体（１）と、マウスピースへの流体の放出量を制御するために設けられている電気的に作動可能なバルブ（１４）と、電力をバルブの方に切り替えて、マウスピースでの減圧に応じてバルブを通して流体を放出させるように構成された圧力スイッチ（１７）とを含み、このスイッチが遠位端と液体供給部の間に位置するように前記胴体に取り付けられているエアロゾル発生装置。
【請求項２】
バルブから放出される流体からエアロゾルを形成するノズルを含むことを特徴とする請求項１記載のエアロゾル発生装置。
【請求項３】
前記胴体が長尺であり、手の指の間で保持されるように構成されていることを特徴とする請求項１記載のエアロゾル発生装置。
【請求項４】
前記胴体が、加圧された流体が供給されるコンパートメントを含むことを特徴とする請求項１記載のエアロゾル発生装置。
【請求項５】
前記コンパートメントが、加圧された流体を含み、内部キャニスターバルブおよび流体を胴体内に解放する押し込み可能な放出管を有するキャニスターを収容するように構成されたキャニスターコンパートメントを含み、このキャニスターコンパートメントが胴体にはめ込まれるとき、キャニスターバルブを開いた状態に維持するように構成され、キャニスターからの流体の放出がキャニスターバルブが開いた状態で前記電気作動バルブによって制御されることを特徴とする請求項４記載のエアロゾル発生装置。
【請求項６】
請求項５記載のエアロゾル発生装置であって、キャニスターを含むエアロゾル発生装置。
【請求項７】
前記胴体がバルブに電力を供給するバッテリーを収容するバッテリーコンパートメントを含むことを特徴とする請求項１記載のエアロゾル発生装置。
【請求項８】
前記胴体が通常円筒状主要胴体ハウジングおよびこの主要胴体ハウジングに解除自在に同軸に取り付けられた遠位端ハウジングを含むことを特徴とする請求項１記載のエアロゾル発生装置。
【請求項９】
遠位端ハウジングにバッテリーコンパートメントおよび圧力スイッチを含むことを特徴とする請求項８記載のエアロゾル発生装置。
【請求項１０】
前記圧力スイッチがマウスピースでの減圧に応じて移動可能なダイヤフラムおよび減圧に応じてダイヤフラムによって移動する導電スイッチ接点を含むことを特徴とする請求項１記載のエアロゾル発生装置。
【請求項１１】
圧力スイッチの作動に反応してバルブに電力を供給する電気回路を含むことを特徴とする請求項１記載のエアロゾル発生装置。
【請求項１２】
前記電気回路が圧力スイッチの作動の後、所定の時間バルブに電力を供給するように作動可能であることを特徴とする請求項１１記載のエアロゾル発生装置。
【請求項１３】
前記電気回路が圧力スイッチの作動の後、所定の時間バルブに電力を供給しないように作動可能であることを特徴とする請求項１１記載のエアロゾル発生装置。
【請求項１４】
電気的に作動可能なバルブがソレノイド作動バルブを含むことを特徴とする請求項１記載のエアロゾル発生装置。
【請求項１５】
前記バルブが内部に長手方向に延びた通路を有するボビンと、この通路内に配置されるバルブシートと、通路に流体を供給する入り口と、バルブシートと係合するために通路内を移動可能なバルブと、バルブを移動させてバルブを開閉するために通電される電気コイルとを含むことを特徴とする請求項１４記載のエアロゾル発生装置。
【請求項１６】
マウスピースおよびキャニスターコンパートメントを有する通常円筒状胴体と、
キャニスターコンパートメント内に収容され、加圧された流体、内部キャニスターバルブおよび流体を胴体内に放出する押し込み可能な放出管を有するキャニスターと、
キャニスターからマウスピースへの流体の放出を制御するための電気作動バルブと、
キャニスターから放出される流体のエアロゾルを形成するためのノズルと、
マウスピースでの減圧に応じてバルブを介して流体を放出するためにバルブに電力を切り替えるように構成された圧力スイッチとを含み、前記キャニスターコンパートメントは、内部キャニスターバルブを開いた状態に保持するように構成され、キャニスターからの流体の放出がキャニスターバルブが開いた状態で前記電気作動バルブによって制御されるエアロゾル発生装置。
【請求項１７】
マウスピースから遠位にあるハウジングの端部にバッテリーコンパートメントを含み、圧力スイッチがキャニスターとバッテリーコンパートメントとの間に位置していることを特徴とする請求項１６記載のエアロゾル発生装置。
【国際調査報告】
2013526382.tif 000022
2013526382.tif 000023
2013526382.tif 000024